【手続補正書】
【提出日】平成18年4月10日(2006.4.10)
【手続補正１】
【補正対象書類名】明細書
【補正対象項目名】特許請求の範囲
【補正方法】変更
【補正の内容】
【特許請求の範囲】
【請求項１】  タンパク質およびデンプンを主成分とした生物分解性熱可塑性組成物であって、
１０〜５０重量％のタンパク質、
２０〜５０重量％のデンプン、
５〜２５重量％の天然セルロース繊維、
８〜２０重量％の水、および
０．５〜５重量％の金属塩水和物を含み、
前記組成物は０．１〜０．８ｇ／立方センチメートルの密度を有するタンパク質およびデンプンを主成分とした生物分解性熱可塑性組成物。
【請求項２】  前記タンパク質は植物由来のタンパク質である請求項１に記載のタンパク質およびデンプンから成る熱可塑性組成物。
【請求項３】  前記タンパク質は大豆タンパク質である請求項１に記載のタンパク質およびデンプンから成る熱可塑性組成物。
【請求項４】  前記大豆タンパク質は、濃縮大豆タンパク質、単離大豆タンパク質、またはそれらの組合せである請求項３に記載のタンパク質およびデンプンから成る熱可塑性組成物。
【請求項５】  前記タンパク質は、グルテン、ゼイン、ホルデイン、アベニン、カフィリン、またはそれらの組合せである請求項１に記載のタンパク質およびデンプンから成る熱可塑性組成物。
【請求項６】  前記タンパク質は動物由来のタンパク質である請求項１に記載のタンパク質およびデンプンから成る熱可塑性組成物。
【請求項７】  前記タンパク質は、カゼイン、アルブミン、コラーゲン、ゼラチン、ケラチン、およびそれらの組合せから選択される請求項６に記載のタンパク質およびデンプンから成る熱可塑性組成物。
【請求項８】  前記デンプンは、天然デンプン、非修飾デンプン、化学修飾デンプン、予めゼラチン化したデンプン、またはそれらの組合せである請求項１に記載のタンパク質およびデンプンから成る熱可塑性組成物。
【請求項９】  前記デンプンは、トウモロコシデンプン、高アミローストウモロコシデンプン、ジャガイモデンプン、サツマイモデンプン、小麦デンプン、米デンプン、タピオカデンプン、ソルガムデンプン、およびそれらの組合せから選択された天然デンプンで
ある請求項１に記載のタンパク質およびデンプンから成る熱可塑性組成物。
【請求項１０】  前記デンプンは、ヒドロキシエチルデンプン、ヒドロキシプロピルデンプン、カルボキシメチルデンプン、アセチル化高アミロースデンプン、酢酸デンプン、マレイン酸デンプン、オクテニルコハク酸デンプン、コハク酸デンプン、フタル酸デンプン、ヒドロキシプロピル高アミロースデンプン、架橋デンプン、リン酸デンプン、リン酸ヒドロキシプロピルジデンプン、カチオンデンプン、プロピオンアミドデンプン、およびそれらの組合せから選択された化学修飾デンプンである請求項１に記載のタンパク質およびデンプンから成る熱可塑性組成物。
【請求項１１】  前記天然セルロース繊維は天然の植物繊維である請求項１に記載のタンパク質およびデンプンから成る熱可塑性組成物。
【請求項１２】  前記天然セルロース繊維は、草の繊維、木材の繊維、切断されたわら、バガス、綿の繊維、切断された葉、切断されたトウモロコシの皮、麻の繊維、およびそれらの混合物から選択される請求項１に記載のタンパク質およびデンプンから成る熱可塑性組成物。
【請求項１３】  前記金属塩水和物は、カルシウム、ナトリウム、カリウム、亜鉛、鉄、アルミニウムもしくはリンの塩またはそれらの混合物である請求項１に記載のタンパク質およびデンプンから成る熱可塑性組成物。
【請求項１４】  前記金属塩水和物は、塩化物、炭酸塩、硫酸塩、硝酸塩、乳酸塩、シュウ酸塩、もしくは酢酸塩またはそれらの混合物である請求項１に記載のタンパク質およびデンプンから成る熱可塑性組成物。
【請求項１５】  前記金属塩水和物は、ＣａＣｌ２・２Ｈ２Ｏ、Ｃａ（ＮＯ３）２・４Ｈ２Ｏ、ＣａＳＯ４・２Ｈ２Ｏ、ＡｌＫ（ＳＯ４）２・１２Ｈ２Ｏ、ＡｌＮＨ４（ＳＯ２）２・１２Ｈ２Ｏ、Ｃ６Ｈ１０Ｃａ・１２Ｈ２Ｏ、またはそれらの混合物である請求項１に記載のタンパク質およびデンプンから成る熱可塑性組成物。
【請求項１６】  グリセロール、エチレングリコール、１，３−プロパンジオール、プロピレングリコール、１，３−トリメチレングリコール、ソルビトール、ソルビタン、マンニトール、ジグリセロール、１，２，３−ヘキサントリオール、ブタンジオール、ブタントリオール、尿素、一酢酸グリセロール、二酢酸グリセロール、およびそれらの混合物から選択された可塑剤をさらに有する請求項１に記載のタンパク質およびデンプンから成る熱可塑性組成物。
【請求項１７】  吸熱性または発熱性膨張剤をさらに有する請求項１に記載のタンパク質およびデンプンから成る熱可塑性組成物。
【請求項１８】  物理的膨張剤をさらに有する請求項１に記載のタンパク質およびデンプンから成る熱可塑性組成物。
【請求項１９】  ヒマシ油、トウモロコシ油、大豆油、レシチン、脂肪酸、モノグリセリド、ジグリセリド、脂肪酸とポリヒドロキシアルコールのエステル、およびそれらの組合せから選択された潤滑油をさらに有する請求項１に記載のタンパク質およびデンプンから成る熱可塑性組成物。
【請求項２０】  重炭酸ナトリウム、クエン酸、クエン酸ナトリウム、滑石、二酸化ケイ素、炭酸カルシウムまたはそれらの組合せから選択される核生成剤をさらに有する請求項１に記載のタンパク質およびデンプンから成る熱可塑性組成物。
【請求項２１】  着色剤をさらに有する請求項１に記載のタンパク質およびデンプンから成る熱可塑性組成物。
【請求項２２】  防腐剤をさらに有する請求項１に記載のタンパク質およびデンプンから成る熱可塑性組成物。
【請求項２３】  前記タンパク質およびデンプンから成る熱可塑性組成物の機械的性質および加工特性を改良するための５〜２０重量％の修飾剤をさらに有する請求項１に記載のタンパク質およびデンプンから成る熱可塑性組成物。
【請求項２４】  前記修飾剤が、ポリビニルアルコール、ポリ乳酸、ポリカプロラクトン、ポリエステルアミドまたは天然生物ポリマーである請求項２３に記載のタンパク質
およびデンプンから成る熱可塑性組成物。
【請求項２５】  前記天然生物ポリマーが、アルギン酸ナトリウム、リグノース、または炭水化物ガムである請求項２４に記載のタンパク質およびデンプンから成る熱可塑性組成物。
【請求項２６】  天然セルロース繊維を含有するタンパク質およびデンプンを主成分とする熱可塑性組成物から製造された生物分解性の低比率に膨張させた発泡体であって、前記熱可塑性組成物は、
１０〜４６重量％のタンパク質、
２０〜４６重量％のデンプン、
５〜２５重量％の天然セルロース繊維、
８〜２０重量％の水、
５〜２５重量％の可塑剤、
０〜４重量％の膨張剤、
０．５〜２重量％の核生成剤、
０．５〜２重量％の潤滑油、
０．５〜５重量％の金属塩水和物、および
前記タンパク質およびデンプンを主成分とする熱可塑性組成物の機械的性質および加工特性を改良するための０〜２５重量％の修飾剤を含み、
前記組成物は０．１〜０．８ｇ／立方センチメートルの密度を有するタンパク質およびデンプンを主成分とする熱可塑性組成物。
【請求項２７】  前記タンパク質は植物由来のタンパク質である請求項２６に記載のタンパク質およびデンプンから成る熱可塑性組成物。
【請求項２８】  前記タンパク質は大豆タンパク質である請求項２７に記載のタンパク質およびデンプンから成る熱可塑性組成物。
【請求項２９】  前記大豆タンパク質は、濃縮大豆タンパク質、単離大豆タンパク質、またはそれらの組合せである請求項２８に記載のタンパク質およびデンプンから成る熱可塑性組成物。
【請求項３０】  前記タンパク質は、グルテン、ゼイン、ホルデイン、アベニン、カフィリン、またはそれらの組合せである請求項２７に記載のタンパク質およびデンプンから成る熱可塑性組成物。
【請求項３１】  前記タンパク質は動物由来のタンパク質である請求項２６に記載のタンパク質およびデンプンから成る熱可塑性組成物。
【請求項３２】  前記タンパク質は、カゼイン、アルブミン、コラーゲン、ゼラチン、ケラチン、およびそれらの組合せから選択される請求項３１に記載のタンパク質およびデンプンから成る熱可塑性組成物。
【請求項３３】  前記デンプンは、天然デンプン、非修飾デンプン、化学修飾デンプン、予めゼラチン化したデンプン、またはそれらの組合せである請求項２６に記載のタンパク質およびデンプンから成る熱可塑性組成物。
【請求項３４】  前記デンプンは、トウモロコシデンプン、高アミローストウモロコシデンプン、ジャガイモデンプン、サツマイモデンプン、小麦デンプン、米デンプン、タピオカデンプン、ソルガムデンプン、およびそれらの組合せから選択された天然デンプンである請求項２６に記載のタンパク質およびデンプンから成る熱可塑性組成物。
【請求項３５】  前記デンプンは、ヒドロキシエチルデンプン、ヒドロキシプロピルデンプン、カルボキシメチルデンプン、アセチル化高アミロースデンプン、酢酸デンプン、マレイン酸デンプン、オクテニルコハク酸デンプン、コハク酸デンプン、フタル酸デンプン、ヒドロキシプロピル高アミロースデンプン、架橋デンプン、リン酸デンプン、リン酸ヒドロキシプロピルジデンプン、カチオンデンプン、プロピオンアミドデンプン、およびそれらの組合せから選択された化学修飾デンプンである請求項２６に記載のタンパク質およびデンプンから成る熱可塑性組成物。
【請求項３６】  前記可塑剤が、グリセロール、エチレングリコール、１，３−プロ
パンジオール、プロピレングリコール、ソルビトール、ソルビタン、マンニトール、ジグリセロール、ブタンジオール、尿素、一酢酸グリセロール、二酢酸グリセロール、およびそれらの混合物から選択される請求項２６に記載のタンパク質およびデンプンから成る熱可塑性組成物。
【請求項３７】  前記天然セルロース繊維は天然の植物繊維である請求項２６に記載のタンパク質およびデンプンから成る熱可塑性組成物。
【請求項３８】  前記天然セルロース繊維は、草の繊維、木材の繊維、切断されたわら、バガス、綿の繊維、切断された葉、切断されたトウモロコシの皮、麻の繊維、およびそれらの混合物から選択される請求項２６に記載のタンパク質およびデンプンから成る熱可塑性組成物。
【請求項３９】  前記膨張剤が水である請求項２６に記載のタンパク質およびデンプンから成る熱可塑性組成物。
【請求項４０】  前記膨張剤が吸熱性化学的膨張剤である請求項２６に記載のタンパク質およびデンプンから成る熱可塑性組成物。
【請求項４１】  前記膨張剤が発熱性化学的膨張剤である請求項２６に記載のタンパク質およびデンプンから成る熱可塑性組成物。
【請求項４２】  前記膨張剤が、エタノール、２−プロパノール、アセトン、ブタン、ペンタン、ヘキサン、クロロフルオロカーボン、またはそれらの組合せから選択された物理的膨張剤である請求項２６に記載のタンパク質およびデンプンから成る熱可塑性組成物。
【請求項４３】  前記膨張剤が圧縮ガスという物理的膨張剤である請求項２６に記載のタンパク質およびデンプンから成る熱可塑性組成物。
【請求項４４】  前記圧縮ガスが窒素または二酸化炭素である請求項４３に記載のタンパク質およびデンプンから成る熱可塑性組成物。
【請求項４５】  前記潤滑油が、ヒマシ油、トウモロコシ油、大豆油、レシチン、脂肪酸、モノグリセリド、ジグリセリド、脂肪酸とポリヒドロキシアルコールのエステル、およびそれらの組合せから選択される請求項２６に記載のタンパク質およびデンプンから成る熱可塑性組成物。
【請求項４６】  前記核生成剤が、重炭酸ナトリウム、クエン酸、クエン酸ナトリウム、滑石、二酸化ケイ素、炭酸カルシウム、またはそれらの組合せから選択される請求項２６に記載のタンパク質およびデンプンから成る熱可塑性組成物。
【請求項４７】  着色剤をさらに有する請求項２６に記載のタンパク質およびデンプンから成る熱可塑性組成物。
【請求項４８】  防腐剤をさらに有する請求項２６に記載のタンパク質およびデンプンから成る熱可塑性組成物。
【請求項４９】  前記組成物はＡＳＴＭ  Ｄ３５７４による測定された０．３〜１２メガパスカルの引張り強度を有する請求項２６に記載のタンパク質およびデンプンから成る熱可塑性組成物。
【請求項５０】  前記組成物はＡＳＴＭ  Ｄ３５７４により測定された８０％よりも大きい弾性エネルギーを有する請求項２６に記載のタンパク質およびデンプンから成る熱可塑性組成物。
【請求項５１】  前記金属塩水和物は、カルシウム、ナトリウム、カリウム、亜鉛、鉄、アルミニウムもしくはリンまたはそれらの混合物である請求項２６に記載のタンパク質およびデンプンから成る熱可塑性組成物。
【請求項５２】  前記金属塩水和物は、塩化物、炭酸塩、硫酸塩、硝酸塩、乳酸塩、シュウ酸塩、もしくは酢酸塩またはそれらの混合物である請求項２６に記載のタンパク質およびデンプンから成る熱可塑性組成物。
【請求項５３】  前記金属塩水和物は、ＣａＣｌ２・２Ｈ２Ｏ、Ｃａ（ＮＯ３）２・４Ｈ２Ｏ、ＣａＳＯ４・２Ｈ２Ｏ、ＡｌＫ（ＳＯ４）２・１２Ｈ２Ｏ、ＡｌＮＨ４（ＳＯ２）２・１２Ｈ２Ｏ、Ｃ６Ｈ１０Ｃａ・１２Ｈ２Ｏ、またはそれらの混合物である請求項
２６に記載のタンパク質およびデンプンから成る熱可塑性組成物。
【請求項５４】  前記組成物は発泡体ダイを用いた押し出し成形により形成される請求項２６に記載のタンパク質およびデンプンから成る熱可塑性組成物。
【請求項５５】  ５〜２０重量％の修飾剤をさらに有する請求項２６に記載のタンパク質およびデンプンから成る熱可塑性組成物。
【請求項５６】  前記修飾剤が、ポリビニルアルコール、ポリ乳酸、ポリカプロラクトン、ポリエステルアミドまたは天然生物ポリマーである請求項５５に記載のタンパク質およびデンプンから成る熱可塑性組成物。
【請求項５７】  前記天然生物ポリマーが、アルギン酸ナトリウム、リグノース、または炭水化物ガムである請求項５６に記載のタンパク質およびデンプンから成る熱可塑性組成物。